(57)【要約】【課題】本発明は、設置場所が制限されることがない、植物を栽培するためのシステムを提供する。【解決手段】植物を栽培するためのシステム１０１は、柱１１５、外壁１０３、及び屋根１０４を有する外側ハウジング１０２と、外側ハウジング１０２の内側に、内壁１１０及び天井１１１を有する内側ハウジング１０９であって、植物の種子を戴置した栽培床３０１を配置するための栽培室１１４が、内側ハウジング１０９の内側に設けられている、内側ハウジング１０９とを備え、外側ハウジング１０２と内側ハウジング１０９の間に、空気層１０８が設けられ、外壁１０３、屋根１０４、内壁１１０、及び天井１１１が、２つの繊維強化プラスチック層１１９の間に断熱材層１２０が配置された三層プレート１１８によって形成され、柱１１５が、繊維強化プラスチックによって形成されている。【選択図】図３
2019047732.tif 000002
【特許請求の範囲】
【請求項１】
植物を栽培するためのシステムであって、
柱、外壁、及び屋根を有する第１のハウジングと、
前記第１のハウジングの内側に、内壁及び天井を有する第２のハウジングであって、前記植物の種子を戴置した栽培床を配置するための栽培室が、前記第２のハウジングの内側に設けられている、第２のハウジングと
を備え、
前記第１のハウジングと前記第２のハウジングの間に、空気層が設けられることができるようになっており、
前記外壁、前記屋根、前記内壁、及び前記天井が、２つの繊維強化プラスチック層の間に断熱材層が配置された三層プレートによって形成され、前記柱が、繊維強化プラスチックによって形成されている、システム。
【請求項２】
前記柱の一方の端部が、前記第１のハウジングを設置面に対して固定できるように、スクリュー形状になっている、請求項１に記載のシステム。
【請求項３】
前記第１のハウジングが、ベンチレータを備える、請求項１又は２に記載のシステム。
【請求項４】
前記栽培床を配置するための栽培棚が、前記栽培室に設置されることができ、前記栽培棚の支柱及び棚板が、繊維強化プラスチックによって形成されている、請求項１〜３の何れか一項に記載のシステム。
【請求項５】
前記棚板の上に設置可能な栽培槽には、前記植物を栽培するための育成水、及び前記育成水上に浮遊可能な前記栽培床が収容されることができ、前記栽培床には、前記種子を戴置するための孔が設けられている、請求項４に記載のシステム。
【請求項６】
前記植物を栽培しているときに、前記栽培槽の中に前記育成水を注入しない、請求項５に記載のシステム。
【請求項７】
熱伝導材によって形成された架台に配置されたＬＥＤ照明が、前記棚板の下に設置されることができ、前記ＬＥＤ照明の少なくとも一部が、前記架台に埋め込まれるように配置されている、請求項５又は６に記載のシステム。
【請求項８】
前記栽培槽の前記育成水の中に、前記育成水の温度を一定に保持するための水温管理ヒータが配置されることができる、請求項５〜７の何れか一項に記載のシステム。
【請求項９】
容器の中に酸化アルミニウムと白亜紀の堆積物とを含む焼結体を収容した育成水生成器を備え、前記育成水が、前記育成水生成器の入力管から注入された水を前記容器の中を通して前記育成水生成器の出力管から抽出することによって生成されている、前記請求項５〜８の何れか一項に記載のシステム。
【請求項１０】
組立キットにより構成されることができる、請求項１〜９の何れか一項に記載のシステム。
【発明の詳細な説明】
【技術分野】
【０００１】
本発明は、設置場所が制限されることがない、植物を栽培するためのシステムに関するものである。
【背景技術】
【０００２】
土壌栽培は、天候に左右されやすく、栽培する時期が限られ、栽培する地域の気候や土壌に合った品種を選択しなければならない、等の制約がある。これらの制約を解決するために、様々な水耕栽培方法が試みられている。
【０００３】
特許文献１には、自然悪環境、人的悪環境、自然災害、人的災害、虫害、鳥害、獣害等の影響を回避するようにするために、トンネルを活用したシェルター・トンネルハウスで、植物の生育環境を制御して栽培を行い、安全な食料の供給と食材の周年供給できる植物工場が開示されている。
【０００４】
特許文献２には、植物の生育に必要な培養を含む水槽と、植物を保持し水槽の上方に跨って配置された植物保持板と、水槽から培養液を排出するための排水部と、水槽へ培養液を供給するための給水部とを備える水耕栽培システム、及び、水耕栽培システムを収容する発泡樹脂製ハウスが開示されている。
【先行技術文献】
【特許文献】
【０００５】
【特許文献１】特開２０１６−２１８７９号公報
【特許文献２】国際公開第２０１５／０２２８２号
【発明の概要】
【発明が解決しようとする課題】
【０００６】
特許文献１の植物工場は、自然悪環境等の影響を受け難い隔離された場所に、平地トンネル、山岳トンネル、水中トンネル、等を構築して、そのトンネルの中で植物を栽培するというものであって、トンネルを掘ることができる等、特定の事業者によってのみ、設定されることができ、誰にでも容易に設定されることはできないという問題点がある。
【０００７】
特許文献２の水耕栽培システムは、水槽に培養液を供給して排出するというシステムであるために、培養液を循環する装置が必要であるという問題点がある。また、特許文献２の発泡樹脂製ハウスは、発泡樹脂を使用することによってある程度の断熱効果を得ることはできるが充分とまでは言えず、更に発泡樹脂であるために高強度性を保持することができないという問題点がある。
【０００８】
従って、本発明の目的は、上記問題点を解決して、設置場所が制限されることがない、植物を栽培するためのシステムを提供することである。
【課題を解決するための手段】
【０００９】
本発明の１つの観点によれば、植物を栽培するためのシステムは、柱、外壁、及び屋根を有する第１のハウジングと、第１のハウジングの内側に、内壁及び天井を有する第２のハウジングであって、植物の種子を戴置した栽培床を配置するための栽培室が、前記第２のハウジングの内側に設けられている、第２のハウジングとを備え、第１のハウジングと第２のハウジングの間に、空気層が設けられることができるようになっており、外壁、屋根、内壁、及び天井は、２つの繊維強化プラスチック層の間に断熱材層が配置された三層プレートによって形成され、柱は、繊維強化プラスチックによって形成されている。
【００１０】
本発明の一具体例によれば、植物を栽培するためのシステムにおいて、柱の一方の端部は、第１のハウジングを設置面に対して固定できるように、スクリュー形状になっている。
【００１１】
本発明の一具体例によれば、植物を栽培するためのシステムにおいて、第１のハウジングは、ベンチレータを備える。
【００１２】
本発明の一具体例によれば、植物を栽培するためのシステムにおいて、栽培床を配置するための栽培棚が、栽培室に設置されることができ、栽培棚の支柱及び棚板は、繊維強化プラスチックによって形成されている。
【００１３】
本発明の一具体例によれば、植物を栽培するためのシステムにおいて、棚板の上に設置可能な栽培槽には、植物を栽培するための育成水、及び育成水上に浮遊可能な栽培床が収容されることができ、栽培床には、種子を戴置するための孔が設けられている。
【００１４】
本発明の一具体例によれば、植物を栽培するためのシステムにおいて、植物を栽培しているときに、栽培槽の中に育成水を注入しない。
【００１５】
本発明の一具体例によれば、植物を栽培するためのシステムにおいて、熱伝導材によって形成された架台に配置されたＬＥＤ照明が、棚板の下に設置されることができ、ＬＥＤ照明の少なくとも一部は、架台に埋め込まれるように配置されている。
【００１６】
本発明の一具体例によれば、植物を栽培するためのシステムにおいて、栽培槽の育成水の中に、育成水の温度を一定に保持するための水温管理ヒータが配置されることができる。
【００１７】
本発明の一具体例によれば、植物を栽培するためのシステムは、容器の中に酸化アルミニウムと白亜紀の堆積物とを含む焼結体を収容した育成水生成器を備え、育成水は、育成水生成器の入力管から注入された水を容器の中を通して育成水生成器の出力管から抽出することによって生成されている。
【００１８】
本発明の一具体例によれば、上記植物を栽培するためのシステムが、組立キットにより構成されることができる。
【発明の効果】
【００１９】
本発明によれば、植物を栽培するためのシステムによって、設置場所が制限されることなく、植物及び作物の育成環境を形成することができ、年間を通じて植物及び作物の計画的生産及び計画的出荷を行うことができる。
【００２０】
なお、本発明の他の目的、特徴及び利点は、添付図面に関する以下の本発明の実施例の記載から明らかになるであろう。
【図面の簡単な説明】
【００２１】
【図１】本発明の一実施形態としての植物を栽培するためのシステムの上面側から見た斜視図である。
【図２】図１のシステムの側面図である。
【図３】図１のシステムの、図２のＡ−Ａ線における矢印の方向から見た断面図である。
【図４】図１のシステムの、図２のＢ−Ｂ線における矢印の方向から見た断面図である。
【図５】図１のシステムに使用される三層プレートの断面図である。
【図６】図１のシステムに使用される柱の一方の端部の概略図である。
【図７】本発明の一実施形態としての栽培棚の上面側から見た斜視図である。
【図８】図７の栽培棚に、栽培槽及ぶ照明を設置した場合の側面図である。
【図９】図７の栽培棚の、図８のＣ−Ｃ線における矢印の方向から見た断面図である。
【図１０】栽培槽に設置することができる水温管理ヒータの側面図である。
【図１１】図１０の水温管理ヒータの、図１０のＤ−Ｄ線における矢印の方向から見た断面図である。
【図１２】本発明の一実施形態としての栽培床の上面側から見た斜視図である。
【図１３】図１２の栽培床の上面図である。
【図１４】図１２の栽培床の、図１３のＥ−Ｅ線における矢印の方向から見た断面図である。
【図１５】図１２の栽培床を育成水上に浮遊させ、栽培床の孔に種子を戴置した場合の断面図である。
【図１６】本発明の一実施形態としての育成水生成器の側面図である。
【発明を実施するための形態】
【００２２】
以下、本発明の実施例について図面を参照して説明するが、本発明はこれらの実施例に限定されるものではない。
【００２３】
図１〜図１５を参照して、本発明の植物を栽培するためのシステムの一実施形態を説明する。
【００２４】
図１〜図４に、本発明の一実施形態としての、植物を栽培するためのシステム１０１を示す。該システム１０１は、柱１１５、外壁１０３、及び屋根１０４を有する外側ハウジング（第１のハウジング）１０２を備える。外側ハウジング１０２は、その構造を強化するために、軒桁１０６、棟木１０７、及び垂木１１７を備えていてもよい。幅を７．５ｍ未満とするような場合には、梁１１６は必ずしも備えていなくてもよいが、幅を７．５ｍ以上とするような場合や構造を強化する場合には、梁１１６を備えていてもよい。また、奥行きを３ｍ以上とするような場合には、両端にある垂木１１７の間に更に垂木を備えてもいてもよい。
【００２５】
植物を栽培するためのシステム１０１は、外側ハウジング１０２の内側に、内壁１１０及び天井１１１を有する内側ハウジング（第２のハウジング）１０９を備える。内側ハウジング１０９の内側に、植物の種子を戴置した栽培床を配置するための栽培室１１４が設けられている。内側ハウジング１０９も、外側ハウジング１０２と同様に、軒桁１１２、棟木１１３、柱、垂木、等を備えていてもよい。外側ハウジング１０２と内側ハウジング１０９の間には、空気層１０８が設けられることができるようになっている。空気層１０８の幅（外側ハウジング１０２と内側ハウジング１０９との間の距離）は、外側ハウジング１０２と内側ハウジング１０９の大きさにも寄るが、２０〜３０ｃｍであることが望ましい。また、外側ハウジング１０２は、空気層１０８と外部との換気を促すようにするためにベンチレータ１０５を備えていてもよく、外側ハウジング１０２は吸気口を備えていてもよい。内側ハウジング１０９は、吸気口及び排気口を備えていてもよい。
【００２６】
図５に、外壁１０３、屋根１０４、内壁１１０、及び天井１１１を形成するための三層プレート１１８を示す。三層プレート１１８は、２つのプラスチック層１１９の間に断熱材層１２０が配置されているという構造になっている。ここで、プラスチック層１１９には、繊維強化プラスチック（Ｆｉｂｅｒ−Ｒｅｉｎｆｏｒｃｅｄ−Ｐｌａｓｔｉｃｓ：以下、ＦＲＰ）を使用し、ＦＲＰとしては、炭素繊維強化プラスチック（Ｃａｒｂｏｎ−Ｆｉｂｅｒ−Ｒｅｉｎｆｏｒｃｅｄ−Ｐｌａｓｔｉｃｓ：以下、ＣＦＲＰ）、ガラス繊維強化プラスチック（Ｇｌａｓｓ−Ｆｉｂｅｒ−Ｒｅｉｎｆｏｒｃｅｄ−Ｐｌａｓｔｉｃｓ：以下、ＧＦＲＰ）、等がある。ＦＲＰは、鉄、アルミニウム合金、木材、等と比較して、軽量であって、強度性、耐食性、熱伝導性、耐熱性、熱膨張性、化学安定性に優れており、プラスチック層１１９としての材料としてＦＲＰを使用し、三層プレート１１８をＦＲＰ層１１９−断熱材層１２０−ＦＲＰ層１１９という三層構造にすれば、外気と、外壁１０３、屋根１０４、内壁１１０、及び天井１１１によって覆われている栽培室１１４との間の断熱性を高めることができ、外気温度に関係なく、栽培室１１４の温度を一定に保持することができる。断熱材層１２０に使用される断熱材としては、例えば発泡材があるが、これに限定されるものではない。ＦＲＰ層１１９の厚さとして、例えば３ｍｍであってもよいが、三層プレート１１８の使用条件、例えば、外壁１０３、屋根１０４、内壁１１０、天井１１１、等の大きさに応じて変更することができる。断熱材層１２０の厚さとして、例えば１０〜２０ｍｍであってもよいが、三層プレート１１８の使用条件、例えば外壁１０３、屋根１０４、内壁１１０、天井１１１、等が配置される環境に応じて変更することができる。なお、図５においては、三層プレート１１８は平板状であるが、波板状であってもよい。更には、外側ハウジング１０２と内側ハウジング１０９との間の空気層１０８の幅を２０〜３０ｃｍとすれば、断熱性を更に高めることができる。例えば、外気温度が４０℃のような高温であったとしても、栽培室１１４の温度を２３℃に保持することができる。また、ＦＲＰは、−４０〜１５０℃の使用温度範囲を有するので、通常の外気温度に対して充分に耐性がある。
【００２７】
図６に、外側ハウジング１０２を支持するための柱１１５を示す。柱１１５は、ＦＲＰによって形成されていてもよい。柱１１５をＦＲＰによって形成することによって、外側ハウジング１０２の高強度性を保持することができる。柱１１５の一方の端部は、外側ハウジング１０２を設置面に対して固定できるように、スクリュー形状１２１になっていてもよい。スクリュー形状１２１とすることによって、柱１１５のスクリュー形状１２１の端部を設置面に対して捩じ込むようにして、設置面に対して容易に柱１１５を固定することができる。また、柱１１５をＦＲＰによって形成することによって、設置面からの熱伝導（例えば、設置面を地面とした場合の地熱の伝導）を抑制することができる。熱伝導性が高い材料により柱１１５を形成すると、設置面から柱１１５を介して栽培室１１４に熱が伝導されて、栽培室１１４の温度が変化し、栽培室１１４の中で栽培されている植物に影響を与えるが、熱伝導性が低いＦＲＰにより柱１１５を形成すれば、設置面による栽培室１１４の温度変化を抑制することができる。なお、内側ハウジング１０９を支持するための柱にも、外側ハウジング１０２の柱１１５と同様の構造を有するものを使用してもよい。また、軒桁１０６、１１２、棟木１０７、１１３、梁１１６、垂木１１７、等もＦＲＰによって形成されていてもよい。
【００２８】
図７〜図９に、本発明の一実施形態としての栽培棚２０１、及び栽培棚２０１を使用して植物を栽培する場合の概略図を示す。栽培棚２０１は、栽培室１１４に設置され、支柱２０２、底板２０３、棚板２０４、及び天板２０５を備える。支柱２０２、底板２０３、棚板２０４、及び天板２０５は、プラスチック、特にＦＲＰによって形成されていてもよい。支柱２０２、底板２０３、棚板２０４、及び天板２０５をＦＲＰによって形成することによって、栽培棚２０１の高強度性を保持することができ、栽培棚２０１の設置面からの熱伝導を抑制することができる。なお、図７〜図９の栽培棚２０１は、１つの底板２０３及び１つの棚板２０４を備える多段式であるが、栽培棚２０１は、更に少なくとも１つ以上の棚板２０４を備える多段式であってもよい。栽培棚２０１を多段式とすることによって、１ｍ２当たりの植物栽培の生産性が向上し、更には、植物栽培における、作業の安全性、作業の効率性、作業の継続性に適しており、栽培棚２０１を狭い場所であっても設置することができる。なお、栽培棚２０４の段数は、栽培する植物に応じて設定されてもよく、栽培する植物が大きい場合には、栽培棚２０１は一段式であってもよい（一段式の場合は、底板２０３が棚板２０４となる）。また、栽培棚２０１の大きさも、栽培する植物に応じて設定されてもよい。
【００２９】
栽培棚２０１の底板２０３及び棚板２０４は、その上に栽培槽２０６を設置可能である。底板２０３及び棚板２０４に設置された栽培槽２０６には、植物を栽培するための育成水２０９が収容され、育成水２０９の上に浮遊可能な栽培床３０１が収容されることができる。栽培床３０１には、栽培する植物の種子を戴置するための孔が設けられている。植物を水耕栽培しているときに、育成水２０９を栽培槽２０６の中に注入して、注入した育成水２０９を栽培槽２０６の中を通して排出し、更に排出された育成水２０９を栽培槽２０６の中に注入するという循環式の水耕栽培であってもよいが、植物を水耕栽培しているときに、栽培槽２０９の中に育成水２０９を注入しない無水流式であってもよい。無水流式とする場合には、栽培する植物の種子を栽培床３０１の孔に戴置するときに、育成水２０９を栽培槽２０６に収容する。無水流式とすることによって、容易且つ低廉に水耕栽培をすることができる。
【００３０】
棚板２０４及び天板２０５の下には、架台２０７に配置された照明２０８が設置されていてもよい。照明２０８を設置することにより、栽培する植物に必要な光量を人工的に当て、植物の育成を促進することができる。なお、照明２０８と栽培床３０１との間の距離が近すぎ、照明２０８の照度が大きすぎると、栽培する植物が焼けてしまうので、栽培する植物に応じて、照明２０８と栽培床３０１との間の距離と照明２０８の照度とを適宜設定する。照明２０８には、栽培室１１４における熱の発生による温度上昇を抑制するために、低消費電力で植物に対して光を照らすことができるものであることが好ましく、例えば、ＬＥＤ照明が望ましい。照明２０８が発する光の色は特に限定されないが、栽培する植物に応じて決定されてもよい。例えば、白色であってもよい。照明２０８は、その少なくとも一部が架台２０７に埋め込まれるように配置されていてもよい。架台２０７に照明２０８の少なくとも一部を埋め込むことによって、架台２０７と照明２０８とが接触する面積を大きくし、更に、高熱伝導性を有する材料によって架台２０７を構成すれば、照明２０８によって発生する熱を効率的に発散させることができ、照明２０８の照度を一定に保持することができ、また、照明２０８の寿命を長くすることができる。架台２０７を構成する材料としては、例えば、アルミニウムがある。架台２０７をアルミニウムによって構成すれば、架台２０７の軽量化を図ることができる。
【００３１】
図１０及び図１１に、水温管理ヒータ２１０を示す。冬場等においては外気温度が低下するため、それに応じて育成水２０９の温度が低下して、その育成水２０９を根から吸収する植物の成長に影響を与える。そこで、育成水２０９の温度を一定に保持するために、栽培槽２０６の育成水２０９の中に、水温管理ヒータ２１０を配置してもよい。水温管理ヒータ２１０は、ヒータ本体２１１とヒータ本体２１１を取り囲むカバー２１２を備える。カバー２１２は網目状に形成され、プラスチックで形成されていてもよい。カバー２１２によってヒータ本体２１１を取り囲むことによって、植物を栽培する者が誤って水温管理ヒータ２１０に触ったとしても植物を栽培する者を火傷等から保護することができる。また、ヒータ本体２１１には通常、サーモスタットが取り付けられているが、植物を栽培する者が水温管理ヒータ２１０を栽培槽２０６から取り出し、ヒータ本体２１１のスイッチが入った状態で水温管理ヒータ２１０を放置し続けることによって火災になることを防止するために、サーモスタットを介さずにヒータ本体２１１を制御できるようになっていてもよい。サーモスタットを介さないことにより、ヒータ本体２１１の温度が上昇し続けるとヒータ本体２１１は壊れてしまうが、壊れることによって火災を防止することができる。
【００３２】
図１２に、本発明の植物を栽培するためのシステム１０１に使用されることができる、上面側から斜視した、栽培床３０１を示す。栽培床３０１は、平面状の本体３０２から構成されている。本体３０２は、水耕栽培の作業工程を簡易にするために、栽培床３０１が配置される育成水２０９に浮遊することができる材料から構成されている。例えば、本体３０２は、木材、プラスチック材、発泡材、等から製造されている。本体３０２は、種子を戴置する上面側の第１の面３０３と、育成水２０９に接する下面側の第２の面３０４とを有する。また本体３０２には、種子を戴置できるように、上面側である第１の面３０３から下面側である第２の面３０４まで貫通する孔３０５が設けられている。本体３０２には、複数の種子を戴置して栽培できるように、複数の孔３０５が設けられることもでき、これによって、小さいスペースにて多くの種子を同時に植え付けることができる。なお、孔３０５の形状は、図１２においては円形に設定されているが、これに限られず、他の多角形、楕円形、等に設定されてもよく、種子の形状に合うように設定されてもよい。
【００３３】
図１３に、上面側から視た栽培床３０１を示す。栽培床３０１の本体３０２には、複数の孔３０５が設けられ、各孔３０５の第１の面３０３に接する第１の領域３０６に、水耕栽培するための種子が戴置される。戴置する種子としては、例えば、にんにくの鱗片、らっきょうの鱗片、たまねぎの苗、等のネギ属の種子がある。
【００３４】
図１４に、図１３のＥ−Ｅ線における矢印の方向から視た断面の栽培床３０１を示す。また図１５に、育成水２０９上に浮遊させ、孔３０５に種子３０９を戴置した栽培床３０１を示す。孔３０５は、第１の面３０３に接する第１の領域３０６から中間領域３０７を介して第２の面３０４に接する第２の領域３０８まで貫通している。孔３０５の半径は、第１の領域３０６において、第１の面３０３から中間領域３０７に向かって小さくなっている。孔３０５の半径が第１の面３０３から第２の面３０４まで一定である場合、孔３０５の半径と寸法が同じ種子３０９でないならば（特に孔３０５の半径より大きい種子３０９を）孔３０５に収容することができないが、孔３０５の半径を、第１の領域３０６において、第１の面３０３から中間領域３０７に向かって小さくすることによって、孔３０５の半径と寸法が異なる種子３０９であっても（特に最も小さい半径を有する中間領域３０７における半径よりも大きい種子３０９であっても）孔３０５の第１の領域３０６に収容することができる。孔３０５の半径は、本体３０２に対する穿孔工程を容易にするために、第１の領域３０６において、第１の面３０３から中間領域３０７に向かって線形的に小さくなるようになっていてもよい。また、孔３０５の形状は、第１の領域３０６においてすり鉢状のような略円錐台であってもよい。
【００３５】
孔３０５の第１の領域３０６の寸法は、種子３０９の種類に応じて設定されてもよい。大きい種子３０９を第１の領域３０６に戴置して栽培する場合には、本体３０２にその種子３０９の大きい寸法に合わせるように第１の領域３０６において大きく穿孔し、また、小さい種子３０９を第１の領域３０６に戴置して栽培する場合には、本体３０２にその種子３０９の小さい寸法に合わせるように第１の領域３０６において小さく穿孔してもよい。
【００３６】
孔３０５の半径は、中間領域３０７において一定であってもよい。中間領域３０７の半径は、種子３０９をその寸法によって選別できるようにするために設定されてもよい。設定された中間領域３０７の半径より小さい寸法の種子３０９は、中間領域３０７を通り抜けて育成水２０９中に落ちてしまって栽培することができないため、中間領域３０７の半径によって、予め栽培するための種子３０９の寸法を選別することができる。
【００３７】
孔３０５の半径は、第２の領域３０８において、中間領域３０７から第２の面３０４に向かって大きくなっている。孔３０５の半径が中間領域３０７と第２の領域３０８において一定である場合、種子３０９の根３１０は種子３０９の下端から下方にしか育成することができず、育成水３０９から充分に水分を吸収することができないために、種子３０９の育成が遅くなる。そこで、第２の領域３０８における孔３０５の半径を、中間領域３０７における孔３０５の半径より大きくし、更に、中間領域３０７から第２の面３０４に向かって大きくすることによって、種子３０９の根３１０は種子３０９の下端から下方だけでなく斜め下方にも育成することができ、育成水２０９から充分に水分を吸収することができるために、種子３０９の育成を速くすることができる。孔３０５の半径は、本体３０２に対する穿孔工程を容易にするために、第２の領域３０８において、中間領域３０７から第２の面３０４に向かって線形的に大きくなるようになっていてもよい。また、孔３０５の形状は、第２の領域３０８においてすり鉢状のような略円錐台であってもよい。
【００３８】
育成水２０９上に栽培床３０１を配置し、栽培床３０１の孔３０５に種子３０９を戴置すると、栽培床３０１と種子３０９の重量によって、栽培床３０１の下部は育成水２０９の中に沈み、孔３０５の第２の領域３０８の少なくとも一部は育成水２０９によって浸水して、第２の領域３０８において育成水２０９の水面が上昇する。また、育成水２０９の表面張力によっても、第２の領域３０８において育成水２０９の水面が上昇する。第２の領域３０８の高さが大きいと、育成水２０９の水面が種子３０９の下端まで達しないため、種子３０９は育成水２０９から充分に水分を吸収することができない。また、第２の領域３０８の高さが小さいと、育成水２０９の水面が中間領域３０７、更には第１の領域３０６まで達し、種子３０９と育成水２０９との接触面が広くなって、種子３０９は腐敗する虞がある。そこで、孔３０５の第２の領域３０８の高さは、第２の領域３０８の少なくとも一部が育成水２０９によって浸水して種子３０９の下端まで育成水２０９が達し、種子３０９の下端のみが育成水２０９に接触できるように設定されてもよい。
【００３９】
栽培床３０１の孔３０５の第１の領域３０６に種子３０９としてにんにくの鱗片を戴置して水耕栽培する場合、栽培床３０１の本体３０２を、発泡材から製造してもよく、栽培床３０１の本体３０２には穿孔工程によって複数の孔３０５を設け、各孔３０５の第１の領域３０６ににんにくの鱗片を戴置してもよい。この場合、孔３０５の寸法を、図１４を参照して説明すると、第１の領域３０６の上端直径φ１が２９ｍｍ、第１の領域３０６の下端直径（中間領域３０７の直径）φ２が２０ｍｍ、第２の領域３０８の上端直径φ３が２６ｍｍ、第２の領域３０８の下端直径φ４が２８ｍｍ、第１の領域３０６の高さｈ１が１６ｍｍ、中間領域３０７の高さｈ２が５ｍｍ、第２の領域３０８の高さｈ３が９ｍｍとなるように設定し、本体３０２の厚さは３０ｍｍとしてもよい。このように栽培床３０１の本体３０２に孔３０５の寸法を設定することによって、にんにくの鱗片を短時間且つ簡単に第１の領域３０６に戴置することができ、中間領域３０７における孔３０５の半径より小さいにんにくの鱗片は中間領域３０７を通り抜けるために、中間領域３０７における孔３０５の半径より大きいにんにくの鱗片のみを選別して栽培することができ、更に、第２の領域３０８が育成水２０９によって浸水してにんにくの鱗片の下端まで達し、にんにくの鱗片の下端のみが育成水２０９が接触することができるため、栽培床３０１を使用してにんにくを水耕栽培することができる。
【００４０】
図１６に、本発明の一実施形態としての、栽培槽２０６に収容される育成水２０９を生成するための育成水生成器４０１を示す。育成水生成器４０１は容器４０２を備え、容器４０２の中には、酸化アルミニウム（アルミナ）と白亜紀の貝殻層等の堆積物とを含む焼結体４０６が収容されている。焼結体４０６は、１２００〜１４００℃の範囲で水素を用いて焼結されたものである。水道水、飲料水、等の水４０５を育成水生成器４０１の入力管４０３から容器４０２に注入して焼結体４０６を収容した容器４０２の中を通し、育成水生成器４０２の出力管４０４から抽出することによって、育成水２０９は生成されている。このように生成された育成水２０９は、弱アルカリ性であって、防カビ抗菌機能を有し、水質の維持を図ることができる。従って、このように生成された育成水２０９を使用することによって、育成水２０９を栽培槽２０６に注入して排出するという水流式を採用することなく、無水流式による水耕栽培を行うことができる。
【００４１】
また、植物を栽培するためのシステム１０１の外側ハウジング１０２、内側ハウジング１０９、及び栽培棚２０１は、植物を栽培する者が組み立てることができるキットとして、製造及び販売されていてもよい。該システム１０１を組立キットとすることによって、植物を栽培する者は、該システム１０１を、設置場所において容易且つ低廉に組み立てることができる。
【００４２】
上記記載は特定の実施例についてなされたが、本発明はそれに限らず、本発明の原理と添付の特許請求の範囲の範囲内で種々の変更及び修正をすることができることは当業者に明らかである。
【符号の説明】
【００４３】
１０１    植物を栽培するためのシステム
１０２    外側ハウジング
１０３    外壁
１０４    屋根
１０５    ベンチレータ
１０６    軒桁
１０７    棟木
１０８    空気層
１０９    内側ハウジング
１１０    内壁
１１１    天井
１１２    軒桁
１１３    棟木
１１４    栽培室
１１５    柱
１１６    梁
１１７    垂木
１１８    三層プレート
１１９    プラスチック層
１２０    断熱材層
１２１    スクリュー形状
２０１    栽培棚
２０２    支柱
２０３    底板
２０４    棚板
２０５    天板
２０６    栽培槽
２０７    架台
２０８    照明
２０９    育成水
２１０    水温管理ヒータ
２１１    ヒータ本体
２１２    カバー
３０１    栽培床
３０２    本体
３０３    第１の面
３０４    第２の面
３０５    孔
３０６    第１の領域
３０７    中間領域
３０８    第２の領域
３０９    種子
３１０    根
４０１    育成水製造器
４０２    容器
４０３    入力管
４０４    出力管
４０５    水
４０６    焼結体
【図１】
2019047732.tif 000003
【図２】
2019047732.tif 000004
【図３】
2019047732.tif 000005
【図４】
2019047732.tif 000006
【図５】
2019047732.tif 000007
【図６】
2019047732.tif 000008
【図７】
2019047732.tif 000009
【図８】
2019047732.tif 000010
【図９】
2019047732.tif 000011
【図１０】
2019047732.tif 000012
【図１１】
2019047732.tif 000013
【図１２】
2019047732.tif 000014
【図１３】
2019047732.tif 000015
【図１４】
2019047732.tif 000016
【図１５】
2019047732.tif 000017
【図１６】
2019047732.tif 000018